(57)【要約】      （修正有）【課題】作品の差し替えが自在でありながら、差し替えた作品が本表装したかのように見え、経費や耐久性の点でもすぐれた製品作りがこの発明の主要なところです。【解決手段】差し替えた作品を本表装したように見せるために、掛け軸の一文字または飾り筋の部分にミシンステッチで作品を支える布を固定します。和紙の使用を避けて布を利用することにより、堅牢さと耐久性がアップしています。また、一作品につき一表装という経費の効率の問題点を解消するために、作品を傷めることなく簡単に差し替えができるようになります。【選択図】図１
2006075539.tif 000002
【特許請求の範囲】
【請求項１】
作品の差し替えを自在にするため、掛軸の一文字の裏側に、ミシンステッチで作品を支える布を止めます（図１の１０）。
【請求項２】
掛け軸の体裁を飾り筋廻しにする時は、作品を支える布は、上と下をミシンステッチで固定します。その上に筋を張ることで本表装したかのように見せます（図２、４）。
【請求項３】
掛軸を外表に巻きます。これによって、作品を支える裏側の布地のたるみをたたみこむことになり、表装の表がしわにならないようになります。
【請求項４】
本発明は和紙の肌裏の替りに洋服用の接着芯を、また総裏の替りには洋服用の裏地と表装用フィルムを使用することで、従来の折れに対する弱さと痛みやすさを解消します。
【発明の詳細な説明】
【技術分野】
【０００１】  書、絵画等の掛け軸に関する分野です。本発明は、作品が自在に、かつ簡単に他の作品と差し替えられ、その差し替えられた作品が本表装したかのようにるように見えるようにしたものです。これにより四季折々の季節に合わせたり、状況に応じた作品の飾りつけが手軽に出来るなど、楽しみ方が多岐にわたるようになります。また和紙の使用を避けて洋服用の接着芯や裏地を使用することにより、掛け軸の強度が増し、表具のいたみが大幅に軽減されます。［背景技術］【０００２】掛軸は通常、作品、柱、天、地、一文字の他に、中廻し、すじ廻しで表は成り、肌裏、総裏と合わせて三重になっています。仕上げは、八双と軸棒、紐を取り付けます。［発明の開示］［発明が解決しようとする課題］【０００３】  書や絵画等の個展あるいはグループ展のおりに作品を展示するには、額装または軸装が必要になります。この軸装に毎回多額の出費を強いられるのはやはり負担が大きく、やむを得ず額装にすると作品の良さがそこなわれることになります。特に、書や水墨画等には掛け軸は不可欠でありますし、和室の床の間にも欲しいものです。本発明は、差し替え可能な簡便な掛け軸でありながら、差し替えた作品があたかも本表装されたものであるかのように見えるのが最大の特徴です。また差し替えはいたって簡単で作品や掛け軸を傷める懸念がありません。このことにより経費面での負担が軽減されるので、より多くの人に掛け軸に親しみ、馴染んでもらえることになります。【０００４】  本発明品は、従来のものと同じように巻いて箱に収めることが出来ますが、従来の表具は折れやしわに弱く傷みやすいという難点があったのを殆んど解消したといえます。そのため展覧会等のおりの取り扱いが簡単になり、搬入、搬出等の際も作品を傷める気遣いが少なくなります。［課題を解決するための手段］【０００５】本発明は、作品１点につき１表装という従来品の経費面での難点と、素材面からくる取り扱いの際の傷みやすさの軽減を課題とするするものです。上記の課題を解決するために先ず、和紙の使用を避けて布を使用します。作品を入れる部分の表は空間にして裏側に薄手布に接着芯を張り作品を支えられるように一文字の天と地側に２．５ミリ幅のステッチで作品を支える布（図１の１４）を固定します（図１の１０）。このステッチの上に天と地を３ミリ重ねて表側に止めるので、ステッチは表側からは見えないようになります。そうすることにより裏側には作品を支える布が上下をミシン止めされた形で固定されます。このミシンステッチによる固定は強度は充分で、さらに作品の重量によっては強度を補強することも可能です。これによって作品の自在な差し替えが可能になり、また、和紙の使用を避けたことにより、掛け軸の堅牢さと耐久性が飛躍的に増大することになりました。【０００６】掛け軸を一文字のない体裁にする場合、作品を支える布をミシンステッチで固定し、その上に飾り筋を止めます（図２，４）。【０００７】  掛軸を収納する場合は通常、表を中にして巻きますが、本発明品で、同じように表を中にして巻くと内側の巻きずれが生じて表がしわになります。この巻きずれから来る表のしわを防ぐため、本発明品は表を外に巻いて作品を支える布の一部に裏打���（接着芯）のない部分を作り、ゆとりをたたみます（図１．２の１２）。【０００８】最近急速に発展してきた縫製技術のうち、接着芯（現在市販されている製品は数十種類ありますが、温度差や湿度差による変化がなく、硬度の面でも各種揃っているので、意図する軸装に合ったものが選べます）を肌裏に利用し、総裏には洋服用の裏地と表装用フイルムを使用することで掛軸の傷みを軽減します。［発明の効果］【０００９】  本発明品の表は柱と一文字、そして裏側が作品を支える布地で、間に作品を入れるようになっているので、掛け軸全体が一体化して、本表装したかのように見えます。裏側の作品を支える布地はミシンステッチ（図１，２，４の１０）で固定するので、安定した強度があります。掛け軸全体の印象は、従来どうりのしなやかさを保ちながら堅牢であるため、手軽に取り扱えて掛け軸も作品も傷めないという利点があります。また作品の差し替えを簡単でかつ自在にしたことにより、作品一点につき一表装というような経費の効率面のデメリットも解消されます。［発明を実施するための最良の形態］【００１０】本発明の最大の眼目は、作品を自在に差し替えながらその作品が本表装したかのように見える点です。作品を裏側でささえる布地をミシンステッチで固定し、和紙の替りに布を使用しているので、掛け軸がしわになりにくく、掛け軸本来の優美さやしなやかさを保ちながら、堅牢であり長期間の使用に耐えられます。作品の差し替えはきわめて簡単で、作品や掛け軸を傷める懸念は全くありません。［実施例］【００１１】  本発明は企画寸法の作品用、例えば半紙、懐紙、半切等、種々の規格サイズの発明掛軸を製作します。本発明掛け軸に入れる作品は、通常の額装と同じようにとりの子紙で裏打ちをします。裏打ちをした作品の端から上下左右各２０ミリを残してカットし、軸に入れます。規格サイズの作品は、裏側に厚紙（とりの子紙と同程度の厚みのもの）をセロテープで接着します。作品に巻きぐせがある場合は逆捲きにするなど平らにして入れます。作品が半切などの長いものの場合、上部がずれる懸念があるので、上部一文字の裏側に薄い鉄板を張り、作品を支える布地の外からマグネットで固定します。これによって作品はあたかも本表装したかのようにぴったりフィットします。【００１２】本発明の最も大きな特徴は、差し替えた作品があたかも本表装したかのように見えることです。この特徴を最大限に発揮できるようにするために、軸装の裏側に作品を支える布地をミシンステッチで止めます。本発明掛け軸を通常のように中表に巻くと、掛け軸の表布にしわが出来ますが  このしわが出来るのを防ぐために、本発明品は外側を表に巻き（図３）、作品を支える布にタックを取れるように接着芯のない部分（図１，２の１２）を作ってその部分に内側のゆとりをたたみこみます。【００１３】  本発明品は、作品の差し替えが自在であるため、当然、作品の頻繁な出し入れが予想さ  れます。この使用頻度の高さに耐え、掛け軸全体の傷みの軽減をはかるために従来のような和紙の使用を避けて、布（洋裁用接着芯、裏地）を取り入れました。これにより、しわが少なくなり強度も大きくアップしました。［産業上の利用可能性］【００１４】本発明を支える骨子のひとつが、作品を支える布をミシンステッチで止めることです。これにより、あたかも本表装したかのように自然に見えます。また、和紙の替りに布を使用することで掛け軸の強度と耐久性が大きくアップしました。現在、市販されている色紙掛けは、４箇所の糸で支えるようになっていますが、このスタイルでは重量のあるものには耐えられない弱点があります。本発明の場合は、色紙やアクリル板などの重量  には充分耐えられる余地があります（図４）  掛け軸は本来、優美で、かつしなやかなすがた形や味わいが求められます。その裏返しとして、衝撃や耐久性の面に難点があります。本発明による掛け軸は、和紙の替りに布を取り入れたことから上記のような従来品の難点をカバーしており、展示会等での作品の搬入や搬出を容易にしました。本発明の掛け軸は、布（裂）、サイズ（はがき大から半切まで）の組み合わせにより多くのパターンの展開が可能です。また洋風な布地を選びステッチ（図２，４の１０）の上に、筋廻しの替りに飾りテープを張ってステッチを隠し立体感を出せばデッサン額になります。この場合、八双と軸棒の変わりに角材を使用します。そのほか水彩用額、はがき用額、写真用等を作製し、アクリル板でそれらの作品を保護するように出来ます。掛け軸は堅牢でありながら全体としては軽量なので、地震などにそなえて飾る場所を選ぶ必要がありません。以上のようにこの手法は、掛け軸の分野だけでなく、隣接の業種でも利用可能なものです。
【図面の簡単な説明】
【００１５】
【図１】本発明の実施のための部分斜視図です。
【図２】［図１］と同じような斜視図ですが一文字で筋廻しに変えた時の図です。
【図３】本発明の表布を傷めないようにするために表を外側に巻いた図です。
【図４】本発明を応用する場合の数種の色紙等の作り方の例図です。
【図５】一文字部分の拡大図（裏側）です。
【図６】完成図で差し替えの作品を入れる場所の斜視図です。
【符号の説明】
【００１６】１    柱２    天３    地４    一文字５    接着芯６    作品の入る空間７    薄手裏地（洋服用）８    八双の付く部分９    軸棒の付く部分１０  重ねてミシンステッチ１１  ２センチ１２  作品の長さにより１〜５センチ１３  飾り筋廻し１４  作品を裏側で支える布１５  表装用フィルム
【図１】
2006075539.tif 000003
【図２】
2006075539.tif 000004
【図３】
2006075539.tif 000005
【図４】
2006075539.tif 000006
【図５】
2006075539.tif 000007
【図６】
2006075539.tif 000008